(57)【要約】【課題】脂溶性の香料及びビタミン類の少なくとも一方を含有する内容物に対する保存性を高め、キャップに緩みを生じさせない密封性に優れたシール部材を提供する。【解決手段】容器２の口部先端に配置され、ディスペンサ１のインテイク１ｂおよびベースキャップ１ｃとの挟持下に容器２の口部２ａを密封するＯリング１０であって、このＯリング１０は、脂溶性の香料およびビタミン類の少なくとも一方による膨潤を防止する非吸着性樹脂の発泡体を口部２ａの先端２ｅに沿ってなる環状のベース１１とし、このベース１１の口部先端側挟持面およびキャップ側挟持面それぞれに、この発泡体と実質的に同じ樹脂の非発泡体からなる外層１２を備える。【選択図】        図１
2005047526.tif 000002
【特許請求の範囲】
【請求項１】
容器の口部先端に配置され、キャップとの挟持下に容器の口部を密封する容器用シール部材において、
このシール部材は、脂溶性の香料およびビタミン類の少なくとも一方による膨潤を防止する非吸着性樹脂の発泡体からなることを特徴とするシール部材。
【請求項２】
前記発泡体は、その口部先端側挟持面およびキャップ側挟持面のうち、少なくとも口部先端側挟持面に、この発泡体と実質的に同じ樹脂の非発泡体からなる外層を備える請求項１に記載のシール部材。
【請求項３】
前記発泡体を口部先端に沿ってなる環状のベースとし、このベースの口部先端側挟持面およびキャップ側挟持面それぞれに、この発泡体と実質的に同じ樹脂の非発泡体からなる外層を備える請求項２に記載のシール部材。
【請求項４】
前記発泡体を容器の口部を全て覆い隠す蓋状のベースとし、このベースの少なくとも口部先端側挟持面に、この発泡体と実質的に同じ樹脂の非発泡体からなる外層を備える請求項２に記載のシール部材。
【発明の詳細な説明】
【０００１】
【発明の属する技術分野】
本発明は、容器の口部先端に配置され、キャップとの挟持下に容器の口部を密封する容器用シール部材に関するものである。
【０００２】
【従来の技術】
容器の口部先端に配置され、キャップとの挟持下に容器の口部を密封する従来のシール部材としては、ポリプロピレン（ＰＰ）やポリエチレン（ＰＥ）の発泡体を用いた積層構造のパッキンが既知である（例えば、特許文献１参照。）。
【０００３】
【特許文献１】
特開２００３−１１８７６７号公報
【０００４】
【発明が解決しようとする課題】
しかしながら、本願発明者は、様々な研究・開発の結果、石鹸・歯磨き・芳香剤等の着香料などに用いられるリモネンを含有する内容物を充填した場合、リモネンがポリプロピレンやポリエチレンなどのオレフィン系樹脂に吸着するため、リモネンを含有する内容物を充填したまま長期間放置すると、リモネンの吸着によって、内容物の保存性が阻害され、パッキンの膨潤に伴うキャップの緩みを生じさせることを認識し、改良の余地を見出した。
【０００５】
本発明は、こうした事実に鑑みてなされたものであり、リモネン等の脂溶性の香料及びビタミン類の少なくとも一方を含有する内容物に対する保存性を高め、キャップに緩みを生じさせない密封性に優れたシール部材を提供することを目的とする。
【０００６】
【課題を解決するための手段】
本発明である、請求項１に係る発明は、容器の口部先端に配置され、キャップとの挟持下に容器の口部を密封する容器用シール部材において、このシール部材は、脂溶性の香料およびビタミン類の少なくとも一方による膨潤を防止する非吸着性樹脂の発泡体からなることを特徴とするものである。
【０００７】
また請求項２に係る発明は、請求項１において、前記発泡体が、その口部先端側挟持面およびキャップ側挟持面のうち、少なくとも口部先端側挟持面に、この発泡体と実質的に同じ樹脂の非発泡体からなる外層を備えるものである。
【０００８】
請求項３に係る発明は、請求項２において、前記発泡体を口部先端に沿ってなる環状のベースとし、このベースの口部先端側挟持面およびキャップ側挟持面それぞれに、この発泡体と実質的に同じ樹脂の非発泡体からなる外層を備えるものである。
【０００９】
請求項４に係る発明は、請求項２において、前記発泡体を容器の口部を全て覆い隠す蓋状のベースとし、このベースの少なくとも口部先端側挟持面に、この発泡体と実質的に同じ樹脂の非発泡体からなる外層を備えるものである。
【００１０】
【発明の実施の形態】
図１（ａ）は、本発明の第１の実施の形態であるＯリング１０を用い、トリガータイプのディスペンサ１を容器２の口部２ａに装着したときの要部断面図であり、同図（ｂ）はＯリング１０の斜視図である。
【００１１】
本実施形態では、容器２には、脂溶性の香料およびビタミン類の少なくとも一方を含有する内容物が充填されているものとする。脂溶性の香料には、例えば、テルペン系炭化水素類があり、具体的には、リモネンが挙げられ、また、脂溶性のビタミンとしては、ビタミンＡやビタミンＥなどが挙げられる。
【００１２】
図１（ａ）において、符号１はディスペンサ、符号２は内容物を充填する容器である。ディスペンサ１は、図１（ａ）に示した如く、吸引通路ｔを形成するとともに液体を吸引、加圧、圧送するためのポンプ機構Ｐを備える本体部分１ａと、この本体部分１ａに一体に取り付けられるインテイク１ｂと、このインテイク１ｂを容器２の口部２ａにねじ止めするベースキャップ１ｃと、インテイク１ｂ内に形成した吸引通路ｔにつながり内容物を外界へ噴出させる噴射ノズル１ｄと、ポンプ機構Ｐを駆動させる操作レバー１ｅからなっている。なお、符号３は、吸引通路ｔの内壁面に設けられ容器２の内部に向けて伸延するディップチューブである。
【００１３】
ディスペンサ１を構成する部材のうちベースキャップ１ｃはインテイク１ｂに対して回転可能に保持されており、Ｏリング１０を介して、ベースキャップ１ｃを容器２の口部２ａにて回転させることでねじ止めすることができる。つまり、インテイク１ｂおよびベースキャップ１ｃが容器２の口部２ａを密封するキャップに相当する。
【００１４】
Ｏリング１０は、脂溶性の香料およびビタミン類の少なくとも一方による膨潤を防止する非吸着性樹脂の発泡体を口部２ａの先端２ｅに沿ってなる環状のベース１１とし、このベース１１の口部先端側挟持面およびキャップ側挟持面それぞれに、この発泡体と実質的に同じ樹脂の非発泡体からなる外層１２を備えるものである。
【００１５】
非吸着性樹脂としては、例えば、ポリエチレンテレフタレート（ＰＥＴ）、ＰＥＴ以外のポリエステル系樹脂、エチレン・ビニルアルコール共重合体（ＥＶＯＨ）またはフッ素樹脂系のものが挙げられ、その発泡倍率は、適宜選択することができる。
【００１６】
かかる構成によれば、Ｏリング１０における脂溶性の香料およびビタミン類の少なくとも一方による膨潤が防止されるため、キャップ（１ｂ，１ｃ）に緩みを生じさせることがない。
【００１７】
従って本実施形態によれば、脂溶性の香料及びビタミン類の少なくとも一方を含有する内容物に対する保存性を高め、キャップに緩みを生じさせない密封性に優れたＯリングを提供することができる。
【００１８】
ところで、外層１２は、ベース１１の少なくとも口部先端側挟持面に設ければよい。ベース１１の口部先端側挟持面に外層１２を設けた場合は表面平滑性が向上し、液漏れ防止性が高まる。さらに、パッキン（Ｏリング）の反り変形を防止するためには、口部先端側とキャップ側の両方に外層１２を設けることが好ましく、液漏れ防止性をさらに高めることも可能となる。
【００１９】
図２（ａ）は、本発明の第２の実施の形態であるパッキン２０を介して、スクリューキャップ５を容器６の口部６ａに装着したときの要部断面図であり、同図（ｂ）はパッキン２０の斜視図である。なお、容器６に充填される内容物は、本発明の第１実施形態と同じものとする。
【００２０】
パッキン２０は、脂溶性の香料及びビタミン類の少なくとも一方による膨潤を防止する非吸着性樹脂の発泡体を容器６の口部６ａを全て覆い隠す蓋状のベース２１とし、このベース２１の口部先端側挟持面およびキャップ側挟持面それぞれに、このベース２１と実質的に同じ樹脂の非発泡体からなる外層２２を備えるものである。
【００２１】
かかる構成でも、パッキン２０における脂溶性の香料およびビタミン類の少なくとも一方による膨潤が防止されるため、キャップ５に緩みを生じさせることがない。
【００２２】
従って本実施形態によれば、脂溶性の香料及びビタミン類の少なくとも一方を含有する内容物に対する保存性を高め、キャップ５に緩みを生じさせない密封性に優れた蓋状のパッキンを提供することができる。
【００２３】
また外層２２も、第１実施形態と同様、ベース２１の少なくとも口部先端側挟持面に設ければよい。ベース２１の口部先端側挟持面に外層２２を設けた場合は表面平滑性が向上し、液漏れ防止性が高まる。さらに、パッキンの反り変形を防止するためには、口部先端側とキャップ側の両方に外層２２を設けることが好ましく、液漏れ防止性をさらに高めることも可能となる。
【００２４】
【実施例】
表１は、本発明と従来技術とを比較した実験データを示す。この実験データは、図１（ａ），（ｂ）に示す実施形態において、リモネンを０．２（重量）％含有する内容物を２５０ｍｌ充填し、図１に示すようなトリガータイプのディスペンサを容器の口部に約２２０Ｎ・ｃｍのトルクで取り付けた後、気温４０Ｃ°の条件下で４週間放置した後の計測結果である。なお表１に示す本発明の実施例１〜５および比較例１，２は、図１（ｂ）に示すＯリング状のパッキンであって、個々の構成を表２に示す。
【００２５】
【表１】
2005047526.tif 000003
【００２６】
【表２】
2005047526.tif 000004
【００２７】
表１において、「状態」とは、充填した容器の放置したときの状態をいい、容器を倒さずに放置した状態を「正立」とし、容器を倒して放置した状態を「横倒し」とする。また、「液漏れ」とは、ベースキャップを除くディスペンサ部を１８０°回転させたときに生じる液漏れの有無を示す。
【００２８】
表１を参照すると、比較例１，２ではベースキャップを除くディスペンサ部の回転に伴い、ベースキャップが供廻りして緩み、液洩れを発生した。これに対して、本実施例１〜５では、ベースキャップが供廻りして緩むことなく、液洩れを発生しなかった。
【００２９】
上述したところは、本発明の好適な実施形態を示したに過ぎず、当業者によれば、請求の範囲において種々の変更を加えることができる。例えば、ＰＥＴ等の脂溶性の香料およびビタミン類の少なくとも一方による膨潤を防止する非吸着性樹脂の発泡倍率は、１．１〜５倍の範囲が好ましく、シール部材の用途に応じて適宜変更することができる。また発泡体の表面に設けた外層もフィルムによるラミネートの他に、共押出しなどで積層加工してもよい。
【００３０】
【発明の効果】
本発明によれば、シール部材における脂溶性の香料およびビタミン類の少なくとも一方により、シール部材が膨潤しないため、キャップに緩みを生じさせなることがない。
【００３１】
従って請求項１に係る発明によれば、脂溶性の香料及びビタミン類の少なくとも一つを含む内容物に対する保存性を高め、キャップに緩みを生じさせない密封性に優れたシール部材を提供することができる。
【００３２】
また請求項２に係る発明は、前記発泡体の口部先端側挟持面およびキャップ側挟持面のうち、少なくとも口部先端側挟持面に、この発泡体と実質的に同じ樹脂の非発泡体からなる外層を備えるから、シール部材の表面平滑性が向上し、液漏れ防止性が高まる。
【００３３】
特に、環状のシール部材にあっては、請求項３に係る発明の如く、前記発泡体を口部先端に沿ってなる環状のベースとし、このベースの口部先端側挟持面およびキャップ側挟持面それぞれに、この発泡体と実質的に同じ樹脂の非発泡体からなる外層を設ければ、環状のシール部材の表面平滑性が向上し、液漏れ防止効果がさらに高まる。
【００３４】
また容器の口部を全て覆い隠す蓋状のシール部材にあっては、請求項４に係る発明の如く、前記発泡体を容器の口部を全て覆い隠す蓋状のベースとし、このベースの少なくとも口部先端側挟持面に、この発泡体と実質的に同じ樹脂の非発泡体からなる外層を設ければ、蓋状のシール部材の表面平滑性が向上し、液漏れ防止効果が高まる。
【図面の簡単な説明】
【図１】（ａ）は、本発明の第１の実施の形態であるＯリングを用い、トリガータイプのディスペンサを容器の口部に装着したときの要部断面図、（ｂ）はＯリングの斜視図である。
【図２】（ａ）は、本発明の第２の実施の形態である蓋状のパッキンを用い、スクリューキャップを容器の口部に装着したときの要部断面図、（ｂ）はパッキンの斜視図である。
【符号の説明】
１  ディスペンサ
１ａ  本体部分
１ｂ  インテイク
１ｃ  ベースキャップ
１ｄ  噴射ノズル
１ｅ  操作レバー
２  容器
２ａ  容器の口部
３  ディップチューブ
１０  Ｏリング
１１  ベース
１２，１３  外層
２０  蓋状パッキン
２１  ベース
２２，２３  外層
【図１】
2005047526.tif 000005
【図２】
2005047526.tif 000006